(57)【特許請求の範囲】
【請求項１】
支柱を壁に取り付けるための金具において、支柱の側面を保持するバンド金具と、支柱の下端を保持する落下防止金具と、を有し、前記バンド金具は、水平断面がＵ字状で支柱の側面を保持する側面保持部と、この側面保持部の両端に連続し、壁に取り付けるためのフランジ部と、が形成され、前記落下防止金具は、垂直断面がＵ字状で支柱の下端を保持する下端保持部と、この下端保持部の両端に連続し、前期側面保持部のＵ字状の両基部に内側から係止する逆Ｕ字状の爪と、が形成されることを特徴とする支柱取付壁用金具。
【請求項２】
前記逆Ｕ字状の爪は、前記側面保持部のＵ字状の前記基部から前記フランジ部に連続する連続部に接する部分が、切り欠かれていることを特徴とする請求項１に記載の支柱取付壁用金具。
【発明の詳細な説明】
【０００１】
【発明の属する技術分野】
この発明は、道路用安全柵などの支柱を壁に取り付けるための金具の構造に関する。
【０００２】
【従来の技術】
従来、道路用安全柵、吹き流し、標識、柵、及びフェンスなどには、１本あるいは複数本の支柱が用いられるが、これらの支柱は地面に取り付けるだけではなく、路肩や構造物の壁に取り付けることが必要となることがある。そのような壁への取付は、バンドと呼ばれる金具によっておこなわれていた。
【０００３】
図８（Ａ）（Ｂ）に示すように、このバンド金具１０１は、支柱１０３の上下の２ヶ所に取り付けられ、各バンド金具１０１は、同図（Ｃ）に示すように、水平断面がＵ字状で支柱１０３の側面を保持する側面保持部１０５の両端に、壁１０７に取り付けるためのフランジ部１０９が連続して形成され、フランジ部１０９に開けられたボルト孔１１１に通されたボルト１１３などによって、壁１０７への取付がおこなわれていた。
【０００４】
また、取り付けられた支柱１０３が、下方へ落下してしまわないように、バンド金具１０１の内面に摩擦部１１５を設ける方法があった。
また、図９（Ａ）（Ｂ）に示すように、下のバンド金具１０１の側面保持部１０５に底部１１７を形成し、よって支柱１０３の下端を保持する構造にする方法があった。
【０００５】
【発明が解決しようとする課題】
しかしながら、落下防止のための前者の方法は、支柱１０３が支える重量が大きな場合には十分でないことがあり、後者の方法は、構造が異なるバンド金具１０１が２種類存在することになり、その分、バンド金具１０１の製造時の工程管理、在庫管理が複雑になり、さらには施工時に２種類のバンド金具１０１の識別が必要になってしまうものであった。
【０００６】
この発明は、以上の課題を解決するためになされたもので、バンド金具が１種類のまま十分に大きな重量を支えることができる支柱取付壁用金具を提供することを目的とする。
【０００７】
【課題を解決するための手段】
以上の課題を解決するために、第１の発明は、支柱を壁に取り付けるための金具において、支柱の側面を保持するバンド金具と、支柱の下端を保持する落下防止金具と、を有し、前記バンド金具は、水平断面がＵ字状で支柱の側面を保持する側面保持部と、この側面保持部の両端に連続し、壁に取り付けるためのフランジ部と、が形成され、前記落下防止金具は、垂直断面がＵ字状で支柱の下端を保持する下端保持部と、この下端保持部の両端に連続し、前期側面保持部のＵ字状の両基部に内側から係止する逆Ｕ字状の爪と、が形成されることを特徴とする支柱取付壁用金具である。
【０００８】
第２の発明は、さらに、前記逆Ｕ字状の爪は、前記側面保持部のＵ字状の前記基部から前記フランジ部に連続する連続部に接する部分が、切り欠かれていることを特徴とする支柱取付壁用金具である。
【０００９】
【発明の実施の形態】
この発明の一実施形態に係る支柱取付壁用金具を、図１〜図３に示す。
円筒状の支柱１を壁に取り付けるため、支柱１の途中と下端にバンド金具３を用いる。このうち、支柱１の途中にはバンド金具３が単体で用いられ、下端にはバンド金具３と落下防止金具５が併用される。
【００１０】
このうちバンド金具３は、全体が帯状で肉厚の板金からなる。中央は、屈曲加工され、水平断面がＵ字状で支柱１の側面を保持する側面保持部７となる。この側面保持部７の両端には、壁への取付を行うためのフランジ部９が連続して形成される。両フランジ部９には、ボルトを通す長孔１１が形成される。取付に際しては、このフランジ部が９壁に接し、長孔１１に通したボルトによって締め付けられ、円筒状の支柱１が弾性により、締め代１３の分だけ若干つぶれてしっかりとした取付がなされる。
【００１１】
落下防止金具５は、全体が細い帯状の肉厚の板金からなる。中央は、大きく屈曲加工され、垂直断面がＵ字状で支柱１の下端を保持する下端保持部１５となる。このため、Ｕ字は、支柱１の縦断面形状である長四角形に応じたコの字状に近くなる。この下端保持部１５のＵ字の両端に連続して爪１７が形成される。この爪１７は、バンド金具３の側面保持部７に対し、この側面保持部７のＵ字状の両基部に内側から係止するため、逆Ｕ字状をなす。
【００１２】
また、この爪１７は、幅を、落下防止金具５本体の幅よりも細くするために、切り欠き１９を有する。すなわち、この爪１７のうち、側面保持部７のＵ字状の基部からフランジ部９に連続する連続部２１に接する部分が、幅の半分ほど切り欠かれている。
【００１３】
（実施形態の作用効果）
以上説明したように、この実施形態によれば、落下防止金具５を、共通の構造のバンド金具３に係止させて用いることができる。よって、支柱１の途中と下端で用いる（図９（Ａ）参照）バンド金具３を共通の構造にすることができる。すなわち、この落下防止金具５は、中央の下端保持部１５が支柱１の下端を保持し、この下端保持部１５の両端に連続する爪１７が、バンド金具３の側面保持部７の両基部に内側から係止することで、支柱１の大きな重量を支えることができる。
【００１４】
さらに、落下防止金具５の爪１７は、連続部２１に接触する部分が切りかかれて幅が半分になっているので、この接触が邪魔になりにくく、したがって、バンド金具３の連続部２１の裏側と、支柱１の表面との間の狭い空間（図２参照）に収まることができ、その分、幅２０の広い落下防止金具５を採用でき、よって支柱１の下端を安定して保持できる。
【００１５】
また、爪１７の幅が大きすぎて、バンド金具３および支柱１に強く接触し、これによりバンド金具３と支柱１との密着が得られなくなってしまったり、支柱１が壁から離れてしまったりすることを防止できる。
【００１６】
（他の実施形態）
以上の実施形態においては、一本の支柱１に対しバンド金具３は二つが用いられるものであったが、他の実施形態においては、三つ以上を用いることも可能である。いずれの場合も、支柱１の下端を保持するバンド金具３に、この発明の落下防止金具が使用される。
【００１７】
また、以上の実施形態においては、支柱１は円筒状のものであったが、他の実施形態においては、四角筒状のものなど、他の断面を有するものであってもよい。  また、以上の実施形態においては、落下防止金具５の爪１７は切り欠きを有するものであったが、他の実施形態においては、例えば図４〜図６に示すように、切り欠きを有さず、かわりに幅２０を全体に狭くすることもできる。
【００１８】
また、以上の実施形態においては、バンド金具３は、全体が帯状で肉厚の板金からななるものを屈曲加工したものであったが、他の実施形態においては、単に屈曲加工だけではなく、図７に示すように、側面保持部７からフランジ部９に連続する連続部２１の外側に、補強リブ２３を設けることも可能である。この補強リブ２３には、爪１７が入る爪孔２５が形成される。
【００１９】
【発明の効果】
以上説明したように、第１または２の発明によれば、落下防止金具を通常の構造のバンド金具に係止させて用いることができる。すなわち、この落下防止金具は、垂直断面がＵ字状の下端保持部が支柱の下端を保持し、この下端保持部の両端に連続する逆Ｕ字状の爪が、バンド金具のＵ字状の両基部に内側から係止する。よって、バンド金具が１種類のまま十分に大きな重量を支えることができる。
【００２０】
第２の発明によれば、さらに、落下防止金具の爪は、バンド金具の側面保持部からフランジ部に連続する連続部に接する部分が、切り欠かれているので、この連続部と支柱の間の狭い空間に収まることができ、その分、幅の広い落下防止金具を採用でき、よって支柱の下端を安定して保持できる。
【図面の簡単な説明】
【図１】この発明の一実施形態に係る支柱取付壁用金具が、支柱の下端を保持する状態を内側から示す斜視図である。
【図２】図１の平面図である。
【図３】（Ａ）図１の金具の分解図
（Ｂ）（Ａ）の金具の組立図である。
【図４】この発明の他の実施形態に係る支柱取付壁用金具が、支柱の下端を保持する状態を内側から示す斜視図である。
【図５】図４の平面図である。
【図６】（Ａ）図４の金具の分解図
（Ｂ）（Ａ）の金具の組立図である。
【図７】（Ａ）この発明のさらに他の実施形態に係る支柱取付壁用金具を構成するバンド金具の平面図、
（Ｂ）（Ａ）の正面図である。
【図８】（Ａ）従来の金具が支柱を壁に取り付けた状態を示す斜視図
（Ｂ）（Ａ）の側面図
（Ｃ）（Ａ）の金具の一つを示す平面図である。
【図９】（Ａ）従来の他の金具が支柱を壁に取り付けた状態を示す斜視図
（Ｂ）（Ａ）の支柱の下端を保持する金具を示す斜視図である。
【符号の説明】
１  支柱
３  バンド金具
５  落下防止金具
７  側面保持部
９  フランジ部
１１  長孔
１３  締め代
１５  下端保持部
１７  爪
１９  切り欠き
２０  幅
２１  連続部
２３  補強リブ
２５  爪孔
【図１】
0003866095.tif 000002
【図２】
0003866095.tif 000003
【図３】
0003866095.tif 000004
【図４】
0003866095.tif 000005
【図５】
0003866095.tif 000006
【図６】
0003866095.tif 000007
【図７】
0003866095.tif 000008
【図８】
0003866095.tif 000009
【図９】
0003866095.tif 000010